(57)【要約】【課題】  カレンダー窓から見える日付文字の視認性を高める。【解決手段】  カレンダー窓を設けた文字板と該文字板の下面側に配置されて１〜３１までの日付文字を形成したリング状の日板とを有し、前記日板を日毎に回転させて前記カレンダー窓に日付文字を覗かせることによって日付表示を行うカレンダー時計において、前記文字板３１は、前記カレンダー窓３１ａに対応する位置の下面側に、中心孔と同心円状で形成した溝部３１ｂを有し、前記リング状の日板３２は、外側に高段部３２ｄ、内側に低段部３２ｃとなる段差部を有し、前記日板３２の高段部３２ｄは、日付文字３２ａが形成されて、前記文字板３１の溝部３１ｂに収納されている。カレンダー窓３１ａの表面と日付文字３２ａとの距離が小さくなるので日付文字３２ａの視認性が高まる。【選択図】        図１
2005091179.tif 000002
【特許請求の範囲】
【請求項１】
カレンダー窓を設けた文字板と該文字板の下面側に配置されて１〜３１までの日付文字を形成したリング状の日板とを有し、前記日板を日毎に回転させて前記カレンダー窓に日付文字を覗かせることによって日付表示を行うカレンダー時計において、
前記文字板は、前記カレンダー窓に対応する位置の下面側に、中心孔と同心円状で形成した溝部を有し、
前記リング状の日板は、外側に高段部、内側に低段部となる段差部を有し、
前記日板の高段部は、日付文字が形成されて、前記文字板の溝部に収納されていることを特徴とするカレンダー時計。
【請求項２】
前記リング状の日板の内側の低段部と前記文字板との間にソーラセルが配置されていることを特徴とする請求項１に記載のカレンダー時計。
【請求項３】
前記文字板の外周辺部にソーラセルが配置されていることを特徴とする請求項１に記載のカレンダー時計。
【請求項４】
前記リング状の日板のリングの内側、又はリングの外側の少なくともいずれか一方にソーラセルが配置されていることを特徴とする請求項１に記載のカレンダー時計。
【請求項５】
カレンダー窓を設けた透光性の文字板と、該文字板の下面側でほぼ同一平面上に配置されるソーラセルと１〜３１までの日付文字を形成したリング状の日板とを有し、前記ソーラセルを前記リング状の日板の内側、又は外側の少なくともいずれか一方に配置し、前記日板を日毎に回転させて前記カレンダー窓に日付文字を覗かせることによって日付表示を行うことを特徴とするカレンダー時計。
【請求項６】
カレンダー窓を設けた透光性の文字板と、該文字板の下面側に配置される透光性材料からなり、１〜３１の日付文字を形成したリング状の日板と、該日板の下面側に配置されるソーラセルとを有し、前記ソーラセルの前記カレンダー窓に対応する位置に光反射部を設け、前記日板を日毎に回転させて前記カレンダー窓に日付文字を覗かせることによって日付表示を行うことを特徴とするカレンダー時計。
【請求項７】
前記光反射部は白色色調を有する印刷被膜又は白色色調を有する金属被膜からなることを特徴とする請求項６に記載のカレンダー時計。
【発明の詳細な説明】
【技術分野】
【０００１】
本発明は、日付表示を有するカレンダー時計に関し、特に日付の視認性に優れたカレンダー時計に関する。
【背景技術】
【０００２】
従来、文字板上のカレンダー窓から文字板の下面で日毎に回転する日板上に記された日付文字を覗かせ、日付を表示するタイプのカレンダー時計の構造は、概ね、図１４に示すような構造を取っている。図１４はカレンダー時計の文字板面における平面図とその断面図を示しており、図１４の（ａ）図は平面図、（ｂ）図は（ａ）図におけるＡ−Ａ断面図である。この図より、文字板１の面上には時針５、分針６、秒針７が配設されている。また、文字板１にはカレンダー窓１ａが３時の部位に設けられており、そのカレンダー窓１ａからは日板２の日付文字２ａ（図中では２８の数字）が見えるようになっている。日板２はリング形状をした平板からなり、その面上には日付文字２ａが印刷などで形成されていて、カレンダー窓１ａの下面側で日毎に回転するようになっている。また、この日板２はカレンダー窓１ａと同心円を描く位置に、モジュール４に取付けられた状態で、文字板１とに５０〜１５０μｍの隙間をもって配設されている。
【０００３】
文字板と日板は上記のような配置構造を取るが、時計用文字板としての外観的な問題からそのカレンダー窓は余り大きく取ることができない。カレンダー窓の大きさは、女持ち、男持ちによって多少異なるが、概ね、縦１．４〜２．０ｍｍ、横１．９〜２．９ｍｍの範囲で設計されている。このため、日付文字がかなり小さ目となって文字が見えにくいと云う問題を有する。特に、高齢者など視力の弱い方においては判読できないと云うことも生じる。そこで、視認向上のために種々の工夫がなされているが、その一例として、図１５、図１６に示すようなカレンダー時計が下記の特許文献１に開示されている。また、ソーラセルを用いたカレンダー時計に関しては、図１７に示すようなカレンダー時計が下記の特許文献２に開示されている。
【０００４】
【特許文献１】特開２００２−１５６４６９号公報（第２−３頁、図１、図４）
【特許文献２】特開２００２−１２２６８２号公報（第３−４頁、図５）
【０００５】
図１５は上記特許文献１に示されたところの日板とモジュールとの従来の取付構造を示す平面図を示しており、図１６は日板とモジュールとのその改良した取付構造を示す平面図を示している。尚、図１５、図１６は上記特許文献１で示された図に対して要部のみを拾い上げて描いたものである。図１５において、日付文字２ａを形成したリング状の日板２はモジュール４上に載置され、その内径部に内径歯２ｂが一周にわたって設けられている。この日板２の内径歯２ｂはモジュール４に設けた日回し車９と噛み合っており、また、この日回し車９はモジュール４に設けた中間車８と噛み合っている。そして、中間車８が回ることによって日回し車９を介して日板２が回る構造になっている。日板２、日回し車９、中間車８はそれぞれスムーズに噛み合い、そして、スムーズに回転するように少しガタ（噛み合い上のクリアランス）を持たせて設計している。このため、カレンダー窓１ａから覗かれる日付文字２ａは、これらのガタによって多少位置がズレてもカレンダー窓１ａからはみ出さないように多少小さ目に形成している。このため、日付文字２ａが見えにくくなり、視認性が落ちる云う問題が生じる。
【０００６】
図１６は上記問題を解決する技術として特許文献１に開示された構造を示したもので、
弾性を有する躍制レバー１０をモジュール４に配設し、躍制レバー１０でもって中間車８と日板２をそれぞれ一定の方向に付勢してガタを殺す構造にしたものである。これによって、日付文字２ａを多少大き目に形成することができて、視認性の向上効果を得たものである。
【０００７】
次に、図１７は上記特許文献２に示されたソーラセルを用いたカレンダー時計の文字板と日板に係る構造を示したもので、図１７の（ａ）図は文字板面における平面図、（ｂ）図は（ａ）図おけるＢ−Ｂ断面図を示している。この図から、文字板１１の面上には時針１５、分針１６、秒針１７が配設されている。また、文字板１１にはカレンダー窓１１ａが３時の部位に設けられている。また、文字板１１の下面にソーラセル１８が配置され、ソーラセル１８の下面に日板１２が配置されている。そして、カレンダー窓１１ａから日板１２の日付文字１２ａ（図中では７の数字）が見えるように、ソーラセル１８の開口部１８ａがカレンダー窓１１ａの外方向に連続する位置に設けられている。このカレンダー窓１１ａからは、日付文字１２ａが見える隣に、ソーラセル１８の一部が見えるようになっている。日板１２はリング形状をした平板からなり、その面上には日付文字１２ａが印刷などで形成されていて、カレンダー窓１１ａ並びにソーラセル１８の開口部１８ａの下面側で日毎に回転するようになっている。また、この日板１２はカレンダー窓１１ａと同心円を描く位置に、モジュール１４に取付けられた状態で、ソーラセル１８とに５０〜１５０μｍの隙間をもって配設されている。また、ソーラセル１８は文字板１１の下面に５０〜１５０μｍの隙間を持って配設されている。
【発明の開示】
【発明が解決しようとする課題】
【０００８】
以上述べたように、一般的に、ソーラ機能を有しないカレンダー時計は日板を文字板の下面に、ソーラ機能を有するカレンダー時計は日板をソーラセルの下面に配置する構造を取る。文字板には金属材やプラスチック材などを一般的に多く使用するが、剛性の問題、変形の問題、指標などの取付部品の問題などを考慮して、多くは０．４〜０．５ｍｍ厚みの範囲で文字板を設計している。また、日板は極力小さい力で回転させるために多くはプラスチック材の軽い材料を使用して形成している。そして、文字板やソーラセルとの間に５０〜１５０μｍの一定の隙間を設けて配置する構造を取っている。
【０００９】
このため、文字板の厚さによっては、斜めから見た場合などのときにカレンダー窓の厚みに隠れて日付文字全体が良く見えないとかの視野角によっての視認性が悪いと云う問題を有していた。また、光の方向によってカレンダー窓の影が現れて日付文字が鮮明に見えないとかの問題も有していた。前述した日板、日回し車、中間車の噛み合いのガタを殺した構造を取って多少日付文字を大きめに形成することができたにしても、カレンダー窓自体がさほど大きくないため視認性を十分に向上させて満足する視認性が得られると云う状況にはなっていなかった。
【００１０】
更にまた、特にソーラセル付きのカレンダー時計にあっては、日板をソーラセルの下面に配置しているため、日板の日付文字が文字板のカレンダー窓から遠く離れた位置になって、更に視認性が悪くなっていた。また、時計のデザイン自体も制約されるものとなっていた。
【００１１】
本発明は、上記課題に鑑みて成されたもので、その目的とするところは、日付文字をカレンダー窓の浅い位置に近づけて優れた視認性を得ると共に、デザイン的にも優れたカレンダー時計を提供することである。
【課題を解決するための手段】
【００１２】
上記目的を達成するものとしての本発明の請求項１に記載の発明は、カレンダー窓を設
けた文字板と該文字板の下面側に配置されて１〜３１までの日付文字を形成したリング状の日板とを有し、日板を日毎に回転させてカレンダー窓に日付文字を覗かせることによって日付表示を行うカレンダー時計において、文字板のカレンダー窓に対応する位置の下面側に中心孔と同心円状で形成した溝部を設け、リング状の日板に外側の高段部と内側の低段部とからなる段差部を形成して、外側の高段部に日付文字を形成し、この外側の高段部を文字板の溝部に収納して日毎に回転させることを特徴とするものである。
【００１３】
また、本発明の請求項２に記載の発明は、リング状の日板の内側の低段部と文字板との間にソーラセルを配置することを特徴とするものである。
【００１４】
また、本発明の請求項３に記載の発明は、文字板の外周辺部にソーラセルを配置することを特徴とするものである。
【００１５】
また、本発明の請求項４に記載の発明は、段差部を形成したリング状の日板のリングの内側、またはリングの外側の少なくともいずれか一方にソーラセルを配置したことを特徴とするものである。
【００１６】
また、本発明の請求項５に記載の発明は、カレンダー窓を設けた透光性の文字板と、この文字板の下面側でほぼ同一平面上に配置されるソーラセルと１〜３１までの日付文字を形成したリング状の日板とを有して、ソーラセルをリング状の日板の内側、又は外側の少なくともいずれか一方に配置して、日板を日毎に回転させてカレンダー窓から日付文字を覗かせることによって日付表示を行うことを特徴とするものである。
【００１７】
また、本発明の請求項６に記載の発明は、カレンダー窓を設けた透光性の文字板と、この文字板の下面側に配置される透光性材料からなり、１〜３１の日付文字を形成したリング状の日板と、この日板の下面側に配置されるソーラセルとを有して、ソーラセルのカレンダー窓に対応する位置に光反射部を設けて、日板を日毎に回転させてカレンダー窓から日付文字を覗かせることによって日付表示を行うことを特徴とするものである。
【００１８】
また、本発明の請求項７に記載の発明は、ソーラセルに設けた光反射部は白色色調を有する印刷被膜又は金属被膜からなることを特徴とするものである。
【発明の効果】
【００１９】
文字板のカレンダー窓に対応する位置の下面側に中心孔と同心円状で溝部を設け、リング状の日板に外側の高段部と内側の低段部とからなる段差部を設け、外側の高段部に日付文字を形成して文字板の溝部に収納する構造を取ることによって、日板の日付文字をカレンダー窓の浅い位置に配置することになり、日付文字をよりカレンダー窓表面の近い位置で視認することができる。これにより、斜めから日付文字を見ても良く見えるようになる。また、文字板の厚みから現れる影も小さいものとなって日付文字が鮮明に見えるようになり、日付文字の視認性が飛躍的に向上する。
【００２０】
また、日板の内側の低段部と文字板との間にソーラセルを配設する構成を取ることにより、日付文字の視認性を向上させた状態でソーラセルを配置することができる。
【００２１】
また、ソーラセルを文字板の外周辺部に配置する構成を取ることにより、日付文字の視認性を向上させた状態で、薄型化した新たなソーラセル付きカレンダー時計のデザインを得ることができる。
【００２２】
また、ソーラセルを段差部を形成したリング状の日板のリングの内側、またはリングの外側の少なくともいずれか一方にソーラセルを配置することによって、日付文字の視認性
を向上させた状態で、ソーラセル付きカレンダー時計の薄型になったデザインを得ることができる。
【００２３】
また、光透光性の文字板を使用し、日付文字を形成したリング状の日板の内側、又は外側の少なくともいずれか一方に、日板と同一面上にしてソーラセルを配置する構造を取ることによって、従来のものより日付文字をカレンダー窓に近づけることができ、優れた視認性が得られると共に、薄型の新たなデザインのカレンダー時計を得ることができる。
【００２４】
また、光透光性の文字板の下面にリング状の透光性を有する日板を配置し、更に、その日板の下面にソーラセルを配置し、そのソーラセルのカレンダー窓に対応する位置に光反射部を設けることにより、カレンダー窓に日板の日付文字が従来より更に近づいたものになると共に、ソーラセルの光反射部の働きを受けて表示文字が鮮明に視認されるようになる。
【００２５】
また、ソーラセルに設ける光反射部を白色色調を有する印刷被膜または金属被膜で形成することにより、反射部からの散乱・反射光が多くなり日付文字がより鮮明に視認されるようになる。
【発明を実施するための最良の形態】
【００２６】
以下、本発明の最良の実施形態を図１〜図１３を用いて説明する。最初に図を説明する。図１は本発明の第１実施形態に係るカレンダー時計の文字板と日板との配置構造を示したもので、図１の（ａ）図は文字板面の平面図、（ｂ）図は（ａ）図におけるＣ−Ｃ断面図を示している。また、図２は図１における文字板の形状を示したもので、（ａ）図は文字板の平面図、（ｂ）図は（ａ）図におけるＤ−Ｄ断面図を示している。また、図３は図１における日板の形状を示したもので、（ａ）図は日板の平面図、（ｂ）図は（ａ）図における要部断面図を示している。次に、図４は本発明の第２実施形態に係るカレンダー時計の文字板と日板とソーラセルとの配置構造を示したもので、図４の（ａ）図は文字板面の平面図、（ｂ）図は（ａ）図におけるＥ−Ｅ断面図を示している。また、図５は本発明の第３実施形態に係るカレンダー時計の文字板と日板とソーラセルとの配置構造を示した要部断面図を示したものである。次に、図６は本発明の第４実施形態に係るカレンダー時計の文字板と日板とソーラセルとの配置構造を示したもので、図６の（ａ）図は文字板面の平面図、（ｂ）図は（ａ）図におけるＦ−Ｆ断面図を示している。また、図７は図６における日板とソーラセルとの配置に係る平面図を示したものである。次に、図８は本発明の第５実施形態に係るカレンダー時計の文字板と日板とソーラセルとの配置構造を示したもので、図８の（ａ）図は文字板面の平面図、（ｂ）図は（ａ）図におけるＧ−Ｇ断面図を示している。次に、図９は本発明の第６実施形態に係るカレンダー時計の文字板と日板とソーラセルとの配置構造を示した要部断面図を示したものであり、図１０は本発明の第７実施形態に係るカレンダー時計の文字板と日板とソーラセルとの配置構造を示した要部断面図を示したものである。図１１は本発明の第８実施形態に係るカレンダー時計の文字板と日板とソーラセルとの配置構造を示したもので、図１１の（ａ）図は文字板面の平面図、（ｂ）図は（ａ）図におけるＨ−Ｈ断面図を示している。また、図１２は図１１における日板の形状を示したもので、図１２の（ａ）図は日板の平面図、（ｂ）図は（ａ）図におけるＩ−Ｉ断面図を示している。また、図１３は図１１におけるソーラセルの形状を示したもので、図１３の（ａ）図はソーラセルの平面図、（ｂ）図は（ａ）図におけるＪ−Ｊ断面図を示したものである。
【００２７】
本発明の第１実施形態に係るカレンダー時計は、図１、図２、図３に示すように、文字板３１は３時の部位のところにカレンダー窓３１ａが設けられており、裏面には溝部３１ｂが設けられている。この溝部３１ｂはカレンダー窓３１ａの位置に対応するところにあり、文字板の中心孔と同心円形状で、カレンダー窓３１ａの幅より広めに且つ後述する日
板の高段部の幅より少し広めに形成してある。一方、日板３２はリング状の形状を取っており、外側が高段部３２ｄ、内側が低段部３２ｃとなる階段状の段差部が設けられている。そして、平坦な高段部３２ｄの面には印刷等の公知の方法で一周に渡って１〜３１の日付文字３２ａが形成されている。また、平坦な低段部３２ｃの内径部にはモジュールの日回し車と噛み合う内径歯３２ｂが一周に渡って形成されている。そして、文字板３１の溝部３１ｂの中に日板３２の高段部３２ｄが収納されて、日板３２の日付文字３２ａを形成した高段部３２ｄが文字板３１の溝部３１ｂの中で日毎に回転する構造になっていて、カレンダー窓３１ａから日付文字３２ａが見えるようになっている。
【００２８】
ここで、日板３２の高段部３２ｄと低段部３２ｃとの段差は文字板３１の溝部３１ｂの溝の深さと同じ大きさか、それより少し大きめに設定しており、低段部３２ｃと文字板３１とのクリアランス（隙間）は高段部３２ｄのところのクリアランス（高段部３２ｄと文字板３１の溝部３１ｂの底面とのクリアランス）に等しいか、それより少し大きめに設定している。高段部３２ｄのところのクリアランス、即ち、高段部３２ｄと文字板３１の溝部３１ｂの底面とのクリアランスは、前述の背景技術で述べた従来例と同じクリアランス、即ち、５０〜１５０μｍのクリアランスを設けており、日板３２と文字板３１とが接触しないような設計になっている。また、文字板３１の裏面に設ける溝部３１ｂの深さは、文字板３１の材料の強度や樹脂の充填性などを考慮して設定する。例えば、０．４〜０．５ｍｍ厚の金属材料を用いた場合などは残肉が０．２〜０．２５ｍｍになる深さに設定することができる。これは、板厚の略１／２位に相当する。文字板を樹脂成形で形成する場合などのときは充填性や反りの問題で残肉は薄くても０．３ｍｍ位必要とする。従って、この場合の深さは０．１〜０．２ｍｍ位の深さとなる。
【００２９】
このような構造を取ることによって、カレンダー窓３１ａから浅い位置に、即ち、カレンダー窓３１ａの表面から浅い位置に日付文字３２ａを配置することができる。例えば、文字板３１に金属板を用いた場合には、文字板３１の残肉厚み０．２〜０．２５ｍｍ＋クリアランス量０．０５〜０．１５ｍｍ＝０．２５〜０．４ｍｍが日付文字３２ａのカレンダー窓３１ａ表面からの配置距離となる。前述した従来例においては、日付文字のカレンダー窓表面からの配置距離は０．４５〜０．６５ｍｍとなり、従来例と較べると０．２〜０．２５ｍｍ近く日付文字をカレンダー窓表面に近づけることができる。このことから、日付文字３２ａが良く視認できるようになる。また、カレンダー窓３１ａのところの厚みが薄いので、斜めから見る視野角があっても日付文字３２ａの隠れる部分が殆どなくなり、日付文字３２ａの全体が良く見えるようになる。更にまた、光の方向でカレンダー窓３１ａの影が現れても、その影の量（大きさ）は非常に小さいものとなり、日付文字３２ａの視認に殆ど影響を及ぼすことがなくなる。従って、この構造によって日付文字の視認性が飛躍的に向上する。
【００３０】
文字板３１に使用する材料は特に限定しない。アルミ，洋白，真鍮などの金属材料板やセラミック材料、アクリル樹脂やポリカーボネイト樹脂などのプラスチック材料、など求める仕様に合わせて選定すると良い。金属材料を用いた場合には、裏面に形成する溝部３１ｂは機械加工などで形成する。また、セラミック材料やプラスチック材料を用いた場合には成形金型から転写して形成すると精度の良いものができあがる。日板３２は金属材料やプラスチック材料などが選択できるが、金属材料（板材）を用いた場合はプレス加工で段差部や内径歯３２ｂを形成する。また、プラスチック材料を用いた場合は射出成形で段差部や内径歯３２ｂを金型から転写して形成する。
【００３１】
図に示していないが、日板３２を日毎に回転させる構造は前述の従来例で説明した構造と同じ構造を取る。即ち、日板３２の内径歯３２ｂとモジュールに設けた日回し車とを噛み合わせ、日回し車をモジュールに設けた中間車で回転させることによって日板３２を回転させる構造を取っている。
【００３２】
次に、本発明の第２実施形態に係るカレンダー時計を図４を用いて説明する。図４は本発明の第２実施形態に係るカレンダー時計の文字板と日板とソーラセルとの配置構造を示したもので、図４の（ａ）図は文字板面の平面図、（ｂ）図は（ａ）図におけるＥ−Ｅ断面図を示したものである。第２実施形態に係るカレンダー時計はソーラセル付きのカレンダー時計になっている。文字板４１は３時の部位にカレンダー窓４１ａがあり、カレンダー窓４１ａが位置する文字板４１の裏面には溝部４１ｂが設けられている。この文字板４１は形状的には前述の第１実施形態の文字板３１とほぼ同じ形状を取るが、ソーラセル用の文字板であるので透過性を有した材料で形成している。日板４２は、前述の第１実施形態の日板３２と同じように、リング状になっており、外側に高段部４２ｄ、内側に低段部４２ｃなる段差部を有している。そして、外側の平坦な高段部４２ｄには日付文字４２ａが形成され、内側の平坦な低段部４２ｃの内径部には内径歯が形成されている。そして、日付文字４２ａを形成した高段部４２ｄを文字板４１の溝部４１ｂに収納し、低段部４２ｃと文字板４１との間にソーラセル４８を配設した構造を取っている。従って、日板４２の高段部４２ｄと低段部４２ｃとの段差はソーラセル４８を配設するに十分な段差を設けてある。ここで、ソーラセル４８は５０〜１５０μｍのクリアランスを設けて文字板４１の下面に配設する。また、ソーラセル４８と日板４２の低段部４２ｃとは５０〜１５０μｍのクリアランスを設けている。また、文字板４１の溝部４１ｂに収納される日板４２の高段部４２ｄと溝部４１ｂ底面とのクリアランスは、第１実施形態と同様に、５０〜１５０μｍ設けている。そして、日板４２が日毎に回転してもソーラセル４８や文字板４１に接触しないような設計になっている。尚、ソーラセル４８の固定は、日板４２の内径歯より小さい径の突出部（上面が平坦）がモジュールの上面に形成されており、この突出部が内径歯の内側で低段部４２ｃとの上面より僅かに突出した位置にあり、この突出部にソーラセル４８が固定される（図示せず）
【００３３】
文字板４１は光透過性を要することから、本実施の形態では、アクリル樹脂やポリカーボネイト樹脂などの材料を使用して射出成形方法で形成していて、カレンダー窓４１ａや裏面の溝部４１ｂは成形時に金型から転写して形成している。この文字板４１は樹脂材料以外のものとしてセラミック材料を用いて形成することもできる。また、ガラス材を使用することも可能であるがカレンダー窓４１ａや溝部４１ｂの加工に大変時間を要する。
【００３４】
文字板４１にプラスチック材料を使用した場合、溝部４１ｂの箇所における文字板４１の残肉量（厚み）は充填性や反りの問題から少なくても０．３ｍｍ位設ける必要がある。従って、カレンダー窓４１ａの所における日付文字４２ａとカレンダー窓４１ａの表面との距離は０．３５〜０．４５ｍｍになる。前述の背景技術で説明した従来例においては、開口部を有したソーラセルを文字板と日板の間に配設する構造を取っているので日付文字とカレンダー窓表面との距離は０．７〜１．０ｍｍ位になっている。従って、本発明においては約半分近く日付文字をカレンダー窓に近づけることができて、日付文字の視認性を飛躍的に高める効果を得る。
【００３５】
日板４２には金属材料、プラスチック材料いずれも使用可能である。前述の第１実施形態と同様に、金属板を使用した場合には機械加工で形状を形成する。また、プラスチック材料を使用した場合は射出成形方法で金型から転写して形状を形成する。そして、日付文字４２ａは印刷などの公知の方法で形成する。
【００３６】
以上述べた構造を取ることにより、日付文字の視認性を飛躍的に高めると共に、ソーラセルの発電機能を十分に働かせることができる。
【００３７】
次に、本発明の第３実施形態に係るカレンダー時計を図５を用いて説明する。図５は本発明の第３実施形態に係るカレンダー時計の文字板と日板とソーラセルとの配置構造を示
す要部断面図を示したものである。本実施形態でのカレンダー時計は、ソーラセル付のカレンダー時計で、ソーラセルを文字板の外周辺部に配設した構造を取っている。図５より、文字板５１の外周部にソーラセル５８が一周に渡って設けられている。ソーラセル５８は図中上部の斜面になった部分で受光する構造を取っている。最近のソーラセルには受光面積が小さくても十分発電機能を満足するものが現れている。文字板全体の１５〜２０％の受光面積を有すれば十分時計機能を満足させる発電を得るものが現れてきている。文字板の外周部一周に渡って設けるソーラセルは幅が狭くてもその面積はかなり広く取ることができ、容易に十分な受光面積を確保することができる。
【００３８】
ここでの文字板５１は、前述の第１実施形態と同様に、３時の部位にカレンダー窓５１ａが有り、裏面には溝部５１ｂが設けられている。一方、日板５２は、リング状になっており、外側に高段部５２ｄと内側に低段部５２ｃを持つ段差部を形成しており、高段部５２ｄには日付文字５２ａが形成され、低段部５２ｃの内径部には内径歯が設けられている。そして、日付文字５２ａを形成した高段部５２ｄが文字板５１の溝部５１ｂに収納されて日毎に回転するようになっている。ここでの文字板５１と日板５２の形状や配置構造は前述の第１実施形態のものと全く同じ形状、構造を取っているのでここでの詳細説明は省略する。
【００３９】
以上の構造を取るソーラセル付きカレンダー時計は、表示文字の視認性は前述の第１実施形態の場合と全く同じ効果を得る。そして、時計機能を満足させるに十分な発電を得ることができる。また、文字板の外周辺部に設けるソーラセルは見切板として兼用して用いることもきる。更にまた、従来例のように文字板、ソーラセル、日板とを積層した構造と比較して上記の構造は薄型化が可能となり、外観的にも従来と異なるソーラセル付きカレンダー時計の新たなデザインを生み出している。また、ソーラセル５８を直接見せないようにするために、このソーラセル５８の内側に、光透過性の樹脂やガラスなどで製作したリングを文字板５１の表面に配設固定することで、カレンダー時計の外観品質を著しく向上させることができる。
【００４０】
次に、本発明の第４実施形態に係るカレンダー時計を図６、図７を用いて説明する。ここで、図６は本発明の第４実施形態に係るカレンダー時計の文字板と日板とソーラセルとの配置構造を示したもので、図６の（ａ）図は文字板面の平面図、（ｂ）図は（ａ）図におけるＦ−Ｆ断面図を示したものである。また、図７は図６における日板とソーラセルとの配置に係る平面図を示したものである。図６に示すように、このカレンダー時計はソーラセルが付いたカレンダー時計になっている。カレンダー窓６１ａを設けた文字板６１の下面にリング状の日板６２を配置し、リング状の日板６２の内径歯６２ｂの内側にソーラセル６８を、日板６２と略同一平面で配置した構造を取っている。
【００４１】
文字板６１はプラスチック材やセラミック材などからなって光透過性を有し、平板状に形成されている。そして、３時の部位にカレンダー窓６１ａを有している。また、日板６２はリング状の平板からなって、上面に日付文字６２ａが形成され、内径部に内径歯６２ｂが設けられている。この日板６２はプラスチック材や金属板などから形成する。ソーラセル６８は、図７に示すように、一部分切欠６８ｂを持った円板形状になっている。この切欠６８ｂは、日板６２を日毎に回転させるためにモジュールに設けてある日回し車９、中間車８との接触を避けるために設けている。
【００４２】
日板６２は文字板６１の下面に５０〜１５０μｍのクリアランスを持って配置される。そして、カレンダー窓６１ａから日板６２の日付文字６２ａが見えるようになっている。ソーラセル６８は、日板６２の内径歯６２ｂの内側に、且つ、文字板６１の下面に５０〜１５０μｍのクリアランスを持って配置される。従って、日板６２とソーラセル６８は略同一平面上に配置されている。そして、日板６２が日毎に回転してもソーラセル６８や文
字板６１に接触しないように設計されている。日板６２の回転は、日板６２の内径歯６２ｂがモジュールに設けた日回し車９と噛み合い、モジュールに設けた中間車８でもって日回し車９を回転させることによって日板６２が回転する構造になっている。この構造は従来例で説明した構造と同じ構造を取っている。
【００４３】
このように、日板６２とソーラセル６８を略同一平面で文字板６１の下面に配置する構造を取ることによって、背景技術で述べた従来例と較べると、日板６２の日付文字６２ａをカレンダー窓６１ａに近づけることができる。従来例ではカレンダー窓の表面から日付文字までの距離が０．７〜１．０ｍｍになっていたものが、本発明の構造によって０．４５〜０．６５ｍｍとなり、０．２５〜０．３５ｍｍ日付文字が近づく。これにより、日付文字の視認性がかなり良くなる。また、文字板と日板とソーラセルとを配置した構造の厚みにおいても、従来例よりも薄くなって薄型化を図ったソーラセル付きカレンダー時計が得られる。
【００４４】
次に、本発明の第５実施形態に係るカレンダー時計を図８を用いて説明する。ここで、図８は本発明の第５実施形態に係るカレンダー時計の文字板と日板とソーラセルとの配置構造を示したもので、図８の（ａ）図は文字板面の平面図、（ｂ）図は（ａ）図におけるＧ−Ｇ断面図を示したものである。本実施形態のカレンダー時計は、図８に示すように、前述の第４実施形態のカレンダー時計と異なるところは、ソーラセルをリング状の日板のリングの外周辺部に配置する構造にしたことである。
【００４５】
カレンダー窓７１ａを設けた文字板７１の下面に、日付文字７２ａを形成したリング状の日板７２を配置し、この日板７２の外側にリング状のソーラセル７８を日板７２と同一平面で文字板７１の下面に配置した構造を取っている。
【００４６】
文字板７１は、前述の第４実施形態と同様に、プラスチック材やセラミック材で光透過性を持たせて形成する。また、日板７２は、前述の第４実施形態と同様に、金属板やプラスチック材で形成する。
【００４７】
このような構造にすることによって、前述の第４実施形態と同じ効果、即ち、視認性の向上と薄型化したデザインの新たなソーラセル付きカレンダー時計が得られる。
【００４８】
尚、第４実施形態のカレンダー時計はリング状の日板のリングの内側にソーラセルを配置した構造を取っており、第５実施形態のカレンダー時計はリング状の日板のリングの外側にソーラセルを配置した構造を取っている。ソーラセルはリング状の日板のリングの内側とリングの外側の両方に配置する構造を取ることも可能である。この場合、第４実施形態で図をもって示したごとくの切欠のある円板状のソーラセルと、リング状のソーラセルと、の外形形状の異なる２種類のソーラセルが用いられる。
【００４９】
次に、本発明の第６実施形態に係るカレンダー時計を図９を用いて説明する。図９は本発明の第６実施形態に係るカレンダー時計の文字板と日板とソーラセルとの配置構造を示す要部断面図を示したものであ。第６実施形態のカレンダー時計では、文字板と日板は前述の第１実施形態の配置構造と同じ配置構造を取り、ソーラセルは前述の第４実施形態のソーラセルの配置構造と同じ配置構造を取っている。即ち、図９に示すように、カレンダー窓８１ａと下面に溝部８１ｂを形成した文字板８１の下面側に、高段部８２ｄと低段部８２ｃからなる段差部を形成したリング状の日板８２を文字板８１の溝部８１ｂに日板８２の高段部８２ｄを収納した状態にして配置し、日板８２の低段部８２ｃの内側にソーラセル８８を配置した構造を取っている。そして、日板８２の高段部８２ｄには日付文字８２ａが形成され、文字板８１のカレンダー窓８１ａから見えるようになっている。また、低段部８２ｃの内径部には内径歯８２ｂが設けられており、この内径歯８２ｂがモジュー
ルの日回し車と噛み合うことによって日毎に回転するようになっている。また、ソーラセル８８は日板８２の内径歯８２ｂの内側に内径歯８２ｂと接触しない程度のクリアランスを持って、日板８２の低段部８２ｃとほぼ同一平面で、文字板８１の下面に配置される。また、このソーラセル８８は、前述の図７を用いて説明した第４実施形態のソーラセルと同様に、切欠を有した円板状の形状をなしている。
【００５０】
ここでの文字板８１は光透過性を有する文字板で、プラスチック材やセラミック材などから形成される。日板８２は金属板やプラスチック材などから形成する。
【００５１】
このような構造を取ることにより、日付文字８２ａをカレンダー窓８１ａの表面により近く近づけることができ、日付文字８２ａの視認性を飛躍的に高めることができる。また、文字板８１、日板８２、ソーラセル８８の配置構造を従来のものより薄くすることができ、ソーラセル付きカレンダー時計の薄型化したデザインが得られる。
【００５２】
次に、本発明の第７実施形態に係るカレンダー時計を図１０を用いて説明する。図１０は本発明の第７実施形態に係るカレンダー時計の文字板と日板とソーラセルとの配置構造を示す要部断面図を示したものである。前述の第６実施形態のカレンダー時計と異なるところは、ソーラセルがリング状の日板のリングの外側に配置した構造を取っていることである。
【００５３】
図１０より、カレンダー窓９１ａと下面に溝部９１ｂを形成した文字板９１の下面側に、高段部９２ｄと低段部９２ｃからなる段差部を形成したリング状の日板９２を文字板９１の溝部９１ｂに高段部９２ｄを収納した状態にして配置し、このリング状の日板９２のリングの外側にソーラセル９８を配置した構造を取っている。そして、日板９２の高段部９２ｄには日付文字９２ａが形成され、文字板９１のカレンダー窓９１ａから見えるようになっている。
【００５４】
リング状の日板９２のリングの外側に配置したソーラセル９８は、文字板９１の下面と５０〜１５０μｍのクリアランスを持って配置しており、日板９２の低段部９２ｃとほぼ同一平面の配置状態になっている。
【００５５】
また、ここでの文字板９１は光透過性を有しており、プラスチック材やセラミック材を用いて形成している。カレンダー窓９１ａや溝部９１ｂは金型から転写して形成する。
【００５６】
以上の構造を取ることによって、前述の第６実施形態のカレンダー時計の効果と同じ効果を得ることができる。即ち、カレンダー窓から覗く表示文字の飛躍的な視認性を高めると共に、薄型にしたデザインのソーラセル付きカレンダー時計を得ることができる。
【００５７】
尚、第６実施形態のカレンダー時計はリング状の日板のリングの内側にソーラセルを配置した構造を取っており、第７実施形態のカレンダー時計はリング状の日板のリングの外側にソーラセルを配置した構造を取っているものであるが、ソーラセルをリング状の日板の内側と外側の両方に配置する構造を取ることも可能である。この場合のソーラセルは、切欠のある円板状のソーラセルと、リング状のソーラセルと、の外形形状が異なる２種類のソーラセルが用いられる。
【００５８】
次に、本発明の第８実施形態に係るカレンダー時計を図１１、図１２、図１３を用いて説明する。図１１は本発明の第８実施形態に係るカレンダー時計の文字板と日板とソーラセルとの配置構造を示したもので、図１１の（ａ）図は文字板面の平面図、（ｂ）図は（ａ）図におけるＨ−Ｈ断面図を示している。また、図１２は図１１における日板の形状を示したもので、図１２の（ａ）図は日板の平面図、（ｂ）図は（ａ）図におけるＩ−Ｉ断
面図を示している。また、図１３は図１１におけるソーラセルの形状を示したもので、図１３の（ａ）図はソーラセルの平面図、（ｂ）図は（ａ）図におけるＪ−Ｊ断面図を示したものである。
【００５９】
図１１、図１２、図１３より、本発明のカレンダー時計は、３時の部位にカレンダー窓１０１ａを有した文字板１０１と、日付文字１０２ａを一周に渡って形成した日板１０２と、一部分に光反射部１０８ａを設けたソーラセル１０８とを順に積層した構造を取っている。そして、文字板１０１のカレンダー窓１０１ａから日毎に回転する日板１０２の日付文字１０２ａが見えるようになっている。また、日付文字１０２ａは、カレンダー窓１０１ａの真下の位置に対応する箇所で、ソーラセル１０８に設けた光反射部１０８ａによって鮮明に見えるようになっている。
【００６０】
ここで、文字板１０１は光透過性を有して、プラスチック材やセラミック材で形成している。カレンダー窓１０１ａは金型から転写して形成する。日板１０２は光透過性を有するプラスチック材を用いて射出成形して形成する。成形時に内径部の内径歯１０２ｂも金型からの転写で形成する。成形後、日付文字１０２ａを印刷方法などで形成する。日付文字１０２ａの色は適宜デザイン仕様によって決められるが、一般には黒色が多く採用されている。ソーラセル１０８は、図に示すように、円板形状にできており、その内部の一部分に開口部１０８ｂを持っている。また、ちょうど文字板１０１のカレンダー窓１０１ａの位置に当たる部位に光反射部１０８ａが設けられている。この光反射部１０８ａは光を反射して日付文字１０２ａを鮮明に見えるようにするために設けるもので、白色インクを用いて印刷で形成している。また、モジュールの日回し車や中間車はこのソーラセル１０８に設けた開口部１０８ｂから突き出て設けられ、中間車、日回し車、日板１０２が噛み合って日板が日毎に回転するようになっている。尚、光反射部１０８ａは、印刷で形成する方法の他に、蒸着などの乾式メッキで金属被膜を形成する方法でもよい。この金属被膜としては、銀、アルミニウム、ニッケル、クロム、パラジウム、ハフニウム、タンタル、金などがある。
【００６１】
従来の日板はソーラセルの下面に配置した構造を取っているが、上記の構造はソーラセルの上面に配置した構造を取っている。従って、日板の日付文字はよりカレンダー窓の表面に近くなって視認性が向上する。また、日付文字の下面に光反射部を設けているので日付文字がはっきりと鮮明に見やすくなる。また、ソーラセル付きカレンダー時計として日付文字の下面に光反射部を設けたデザインは新たなデザインを提供する。
【００６２】
以上、第１実施形態〜第８実施形態のカレンダー時計について詳細に説明した。この中で、文字板の下面にソーラセルを配置する構造のものは光透過性を有する文字板を使用する。これらの文字板はアクリル樹脂やポリカーボネイト樹脂などのプラスチック材や、セラミック材を用いて成形方法で形成する。ソーラセルは独特の濃紫色を呈し、利用者には外観的に良い感じを与えない。このため、発電に必要な所要の透過率を確保する範囲内でソーラセルの濃紫色を和らげる工夫を行っている。その多くの工夫は文字板で行っているが、本発明のカレンダー時計の文字板もその工夫の施しを十分に行うことができるものである。例えば、着色を施したり、凹凸模様を施したり、金属蒸着膜を施したり、などである。また、文字板は上記の装飾やその他の装飾などを施し、時字などの指標を設けて仕上げられて使用される。また、カレンダー窓は外観的に良いものに仕上げるために枠取りなどを施すことも行われている。
【産業上の利用可能性】
【００６３】
本発明は日付表示を行うカレンダー時計に利用するもので、ソーラ機能を有するカレンダー時計やソーラ機能を持たないカレンダー時計に利用する。
【図面の簡単な説明】
【００６４】
【図１】本発明の第１実施形態に係るカレンダー時計の文字板と日板との配置構造を示したもので、図１の（ａ）図は文字板面の平面図、（ｂ）図は（ａ）図におけるＣ−Ｃ断面図である。
【図２】図１における文字板の形状を示したもので、（ａ）図は文字板の平面図、（ｂ）図は（ａ）図におけるＤ−Ｄ断面図である。
【図３】図１における日板の形状を示したもので、（ａ）図は日板の平面図、（ｂ）図は（ａ）図における要部断面図である。
【図４】本発明の第２実施形態に係るカレンダー時計の文字板と日板とソーラセルとの配置構造を示したもので、図４の（ａ）図は文字板面の平面図、（ｂ）図は（ａ）図におけるＥ−Ｅ断面図である。
【図５】本発明の第３実施形態に係るカレンダー時計の文字板と日板とソーラセルとの配置構造を示した要部断面図である。
【図６】本発明の第４実施形態に係るカレンダー時計の文字板と日板とソーラセルとの配置構造を示したもので、図６の（ａ）図は文字板面の平面図、（ｂ）図は（ａ）図におけるＦ−Ｆ断面図である。
【図７】図６における日板とソーラセルとの配置に係る平面図である。
【図８】本発明の第５実施形態に係るカレンダー時計の文字板と日板とソーラセルとの配置構造を示したもので、図８の（ａ）図は文字板面の平面図、（ｂ）図は（ａ）図におけるＧ−Ｇ断面図である。
【図９】本発明の第６実施形態に係るカレンダー時計の文字板と日板とソーラセルとの配置構造を示した要部断面図である。
【図１０】本発明の第７実施形態に係るカレンダー時計の文字板と日板とソーラセルとの配置構造を示した要部断面図である。
【図１１】本発明の第８実施形態に係るカレンダー時計の文字板と日板とソーラセルとの配置構造を示したもので、図１１の（ａ）図は文字板面の平面図、（ｂ）図は（ａ）図におけるＨ−Ｈ断面図である。
【図１２】図１１における日板の形状を示したもので、図１２の（ａ）図は日板の平面図、（ｂ）図は（ａ）図におけるＩ−Ｉ断面図である。
【図１３】図１１におけるソーラセルの形状を示したもので、図１３の（ａ）図はソーラセルの平面図、（ｂ）図は（ａ）図におけるＪ−Ｊ断面図である。
【図１４】カレンダー時計の文字板面における平面図とその断面図を示しており、図１４の（ａ）図は平面図、（ｂ）図は（ａ）図におけるＡ−Ａ断面図である。
【図１５】特許文献１に示されたところの日板とモジュールとの従来の取付構造を示す平面図である。
【図１６】特許文献１に示されたところの日板とモジュールとのその改良した取付構造を示す平面図である。
【図１７】特許文献２に示されたソーラセルを用いたカレンダー時計の文字板と日板に係る構造を示したもので、図１７の（ａ）図は文字板面における平面図、（ｂ）図は（ａ）図おけるＢ−Ｂ断面図である。
【符号の説明】
【００６５】
８  中間車
９  日回し車
３１、４１、５１、６１、７１、８１、９１、１０１  文字板
３１ａ、４１ａ、５１ａ、６１ａ、７１ａ、８１ａ、９１ａ、１０１ａ  カレンダー窓
３１ｂ、４１ｂ、８１ｂ、９１ｂ  溝部
３２、４２、５２、６２、７２、８２、９２、１０２  日板
３２ａ、４２ａ、５２ａ、６２ａ、７２ａ、８２ａ、９２ａ、１０２ａ  日付文字
３２ｂ、６２ｂ、８２ｂ、１０２ｂ  内径歯
３２ｃ、４２ｃ、５２ｃ、８２ｃ、９２ｃ  低段部
３２ｄ、４２ｄ、５２ｄ、８２ｄ、９２ｄ  高段部
４８、５８、６８、７８、８８、９８、１０８  ソーラセル
６８ｂ    切欠
１０８ｂ  開口部
【図１】
2005091179.tif 000003
【図２】
2005091179.tif 000004
【図３】
2005091179.tif 000005
【図４】
2005091179.tif 000006
【図５】
2005091179.tif 000007
【図６】
2005091179.tif 000008
【図７】
2005091179.tif 000009
【図８】
2005091179.tif 000010
【図９】
2005091179.tif 000011
【図１０】
2005091179.tif 000012
【図１１】
2005091179.tif 000013
【図１２】
2005091179.tif 000014
【図１３】
2005091179.tif 000015
【図１４】
2005091179.tif 000016
【図１５】
2005091179.tif 000017
【図１６】
2005091179.tif 000018
【図１７】
2005091179.tif 000019